(57)【要約】      （修正有）【課題】電子番組表や録画済みコンテンツからユーザの嗜好に合わせて視聴予約表を作成しても閲覧や予約録画設定時の選択画面に使用する程度の活用方法しか無いため、視聴予約表通りに視聴を可能にする番組選局、コンテンツ再生手段を提供する。【解決手段】情報処理装置は、ユーザの嗜好に合わせた放送番組を各放送局の電子番組予定表から放送時間の経過に沿って選択して並べ、選択する放送番組が無い時間帯には録画済みコンテンツの再生を行う選択をして視聴予定表を作成する手段と、作成した視聴予定表に沿って放送番組を選局したり、選択された時間区間内で録画済みコンテンツの再生を完結する再生手段を備えることで、視聴予定表通りの視聴を行えるようにする。【選択図】図１
2012119942.tif 000002
【特許請求の範囲】
【請求項１】
放送またはネットワークを介して番組及び番組表を取得する取得部と、
取得される番組の選局を行い、視聴を可能にする選局制御部と、
選局された番組の録画を行う録画制御部と、
録画された番組の再生を行う再生制御部と、
時系列的にユーザが希望する番組を、前記番組表から選択するか、録画済みの番組から選択し、視聴予定表を作成する視聴予定表作成部と、
前記視聴予定表の時系列順に選択された番組について、番組表から選択された番組であるか、録画済みの番組から選択された番組であるかを判断し、番組表から選択された番組である場合は、選局制御部に当該番組を選局させ、視聴を可能にし、録画済みの番組から選択された番組である場合は、再生制御部に当該番組の再生を行わせる制御部を備えることを特徴とする情報処理装置。
【請求項２】
前記制御部が、前記再生制御部に、録画済みの番組から選択された番組の再生を行わせる場合であって、当該番組の前記視聴予定表で割り当てられた再生時間が、録画済みの番組の再生時間よりも短い場合には、前記再生制御部は、録画済みの番組を割り当てられた再生時間で再生するように、再生時間を短縮することを特徴とする請求項１に記載の情報処理装置。
【請求項３】
前記制御部が、前記選局制御部に、番組表から選択された番組を選局させている間に、ユーザにより別の番組の選局が行われた場合に、前記視聴予定表作成部は、選局された別の番組が新たに選択されたものとして、視聴予定表を再作成することを特徴とする請求項１に記載の情報処理装置。
【請求項４】
前記制御部が、前記再生制御部に、録画済みの番組から選択された番組の再生を行わせている間に、ユーザにより当該番組の再生時間が変更された場合に、前記視聴予定表作成部は、再生時間が変更された番組が新たに選択されたものとして、視聴予定表を再作成することを特徴とする請求項１に記載の情報処理装置。
【請求項５】
放送またはネットワークを介して番組及び番組表を取得する取得部と、取得される番組の選局を行い、視聴を可能にする選局制御部と、選局された番組の録画を行う録画制御部と、
録画された番組の再生を行う再生制御部と、時系列的にユーザが希望する番組を、前記番組表から選択するか、録画済みの番組から選択し、視聴予定表を作成する視聴予定表作成部と、を備える情報処理装置の視聴予定表制御方法であって、
前記視聴予定表の時系列順に選択された番組について、番組表から選択された番組であるか、録画済みの番組から選択された番組であるかを判断し、
番組表から選択された番組である場合は、選局制御部に当該番組を選局させ、視聴を可能にし、
録画済みの番組から選択された番組である場合は、再生制御部に当該番組の再生を行わせることを特徴とする視聴予定表制御方法。
【請求項６】
前記再生制御部に、録画済みの番組から選択された番組の再生を行わせる場合であって、当該番組の前記視聴予定表で割り当てられた再生時間が、録画済みの番組の再生時間よりも短い場合には、前記再生制御部は、録画済みの番組を割り当てられた再生時間で再生するように、再生時間を短縮することを特徴とする請求項５に記載の視聴予定表制御方法。
【請求項７】
前記選局制御部に、番組表から選択された番組を選局させている間に、ユーザにより別の番組の選局が行われた場合に、前記視聴予定表作成部は、選局された別の番組が新たに選択されたものとして、視聴予定表を再作成することを特徴とする請求項５に記載の視聴予定表制御方法。
【請求項８】
前記再生制御部に、録画済みの番組から選択された番組の再生を行わせている間に、ユーザにより当該番組の再生時間が変更された場合に、前記視聴予定表作成部は、再生時間が変更された番組が新たに選択されたものとして、視聴予定表を再作成することを特徴とする請求項５に記載の視聴予定表制御方法。
【発明の詳細な説明】
【技術分野】
【０００１】
本発明はＴＶなどで受信する放送番組を視聴、録画及び再生する機能を有する情報処理装置において、情報処理装置を操作するユーザの嗜好に合わせた視聴予定表を放送番組の放送予定表と放送番組を録画した録画済みコンテンツから作成し、視聴予定表通りに視聴可能にする視聴予定表制御方法に関するものである。
【背景技術】
【０００２】
近年、一般家庭ではＨＤＤ(Hard Disk Drive)を内蔵した情報処理装置の保持率が高まっている。情報処理装置では地上波デジタル放送、ＢＳデジタル放送、ＣＳデジタル放送など多くの放送番組が受信可能であり、放送データとともに送信される電子番組表(ＥＰＧ：Electronic Program Guide)を用いた予約録画設定などにより予約録画は容易になり、装置内に蓄積される録画済みコンテンツの量も増えている。
【０００３】
ユーザが視聴や録画を行う放送番組の情報を元に、電子番組表の放送予定の番組の中から類似する番組を選択し、ユーザ個別の視聴予定表として提示する方法が提案されている。更に放送予定の番組の組み合わせで視聴予定表を埋められない場合は、未視聴の録画済みコンテンツ情報を放送番組の様に予定表に組み入れて、視聴予定表を作成する方法などが提案されている。（特許文献１ないし３）
【先行技術文献】
【特許文献】
【０００４】
【特許文献１】特願２００３−１８９２０６号公報
【特許文献２】特開２００５−２９５００１号公報
【特許文献３】特開２００７−１５８４４１号公報
【発明の概要】
【発明が解決しようとする課題】
【０００５】
しかしながら、特許文献１および特許文献２で開示された方法では、作成した視聴予定表によって番組の放送予定は分かるが、視聴予定表通りに視聴するための手段が提供されていない。更に視聴予定表に組み込まれた録画済みコンテンツの再生に割り当てられた時間と録画済みコンテンツの再生に有する時間が必ずしも一致しておらず(特許文献１)、また未視聴の録画済みコンテンツの存在を知らせるだけ(特許文献２)の場合もあるため、視聴予定表通りに視聴することは不可能である。
【０００６】
本発明の目的は、ユーザに提示するために作成した視聴予定表通りに放送番組の選局や録画済みコンテンツの再生を行い、録画済みコンテンツに関しては視聴予定表に示した通りの時間で再生を行う装置および方法を提供することにある。
【課題を解決するための手段】
【０００７】
上記目的を達成するために、例えば、特許請求の範囲に記載の構成を採用する。
【発明の効果】
【０００８】
本発明によれば、放送波またはインターネットなどのネットワークを介して取得する電子番組表データの中から、放送予定の番組を選択して組み合わせることで視聴予定表を作成し、その視聴予定表通りの番組視聴を行うことができるようになる。また、録画済みコンテンツを指定した時間で再生する再生制御手段を設けることで、録画時間に関係なく録画済みコンテンツを視聴予定表に組み入れることが可能となる。
【図面の簡単な説明】
【０００９】
【図１】情報処理装置の内部構成と周辺装置との接続構成図である。
【図２】情報処理装置で視聴予定表を作成する場合の処理フロー図である。
【図３】視聴予定表を作成する場合に使用する放送局の電子番組表の一例である。
【図４】視聴予定表の作成に使用する録画済みコンテンツ情報の一例である。
【図５】視聴予定表を作成する時に使用する作成基準情報の一例である。
【図６】作成された視聴予定表の一例である。
【図７】視聴予定表通りの視聴を可能にする処理フロー図である。
【図８】情報処理装置を操作するリモコンのボタンの一部示した例である。
【図９】視聴予定表通りの視聴中に視聴番組や視聴コンテンツの再生方法を変更可能にした処理フロー図である。
【図１０】視聴予定表を作成する時に使用する作成基準情報の一例である。
【図１１】視聴予定表の視聴中番組を変更した時に作成し直した視聴予定表の一例である。
【図１２】視聴予定表を作成する時に使用する作成基準情報の一例である。
【図１３】視聴予定表通りの視聴中に視聴コンテンツの再生方法を変更した時に作成し直した視聴予定表の一例である。
【発明を実施するための形態】
【００１０】
以下、本発明の実施の形態を図面に基づいて詳細に説明する。
【実施例１】
【００１１】
図１は本発明の実施例１による情報処理装置の機能ブロックについて示している例である。
【００１２】
図１において情報処理装置１は、チューナ部１００、表示制御部１０１、制御部１０２、予定表部１０７、記録部１０８、入力部１０９、通信部１１０によって構成されている。
【００１３】
チューナ部１００は、アンテナにより受信した放送電波の情報を処理しデータとして制御部１０２へ渡す。
【００１４】
表示制御部１０１は制御部１０２が生成する再生画面の情報を受けて、表示装置２へ表示するための処理を行う。さらに、表示装置２では、表示制御部１０１が出力する画面情報を表示する。
【００１５】
制御部１０２は、録画制御手段１０３、再生制御手段１０４、選局制御手段１０５、予定表作成手段１０６の各制御を行う。また、情報処理装置１への操作情報処理も行う。
【００１６】
録画制御手段１０３は、チューナ部１００や通信部１１０から取得する放送番組のデータを録画済みコンテンツとして記録部１０８へ記録する制御を行う。
【００１７】
再生制御手段１０４は、チューナ部１００、通信部１１０や記録部１０８から取得する録画済みコンテンツデータをデコードして再生し、表示制御部１０１に再生画面として出力させる。また、記録部１０８に録画済みコンテンツとして保存している動画データのフレームごとに、音声のパワー及び画像の動きからフレームの特徴を抽出した特徴データを生成し、特徴データを元にシーン毎の再生区間に分割し、指定する再生時間に合うように再生区間を選びながら再生をする制御が行える。
【００１８】
選局制御手段１０５はチューナ部１００を制御して、各放送局から送られてくる放送番組の中からデコードするコンテンツデータを選択して、再生制御手段１０８にデコード処理をさせる。
【００１９】
予定表作成手段１０６は、チューナ部１００を介して得られる電子番組表データと、記録部１０８に保存されている録画済みコンテンツデータの情報を用いて、独自の視聴予定表を作成する。
【００２０】
予定表部１０７は、視聴予定表と視聴予定表を作成するための情報を保存する記憶領域であり、揮発性メモリや不揮発性メモリなどの記憶装置である。
【００２１】
記録部１０８は、電子番組表データや録画の実行などによって記録される映像データや音声データを録画済みコンテンツデータとして保存する記録領域であり、不揮発性メモリやＨＤＤなどの記録装置である。
【００２２】
入力部１０９は図示していないリモートコントローラー（以下リモコンと称す）などからの情報処理装置１への操作指示を受信して、制御部１０２へ通知する。リモコンなどとの接続は有線・無線、赤外線やBluetoothなどの通信方式で行う。
【００２３】
通信部１１０はネットワークプロトコルを用いてネットワーク１１１を介して、放送番組のデータや電子番組表データの取得を行うことができる。
【００２４】
ネットワーク１１１は、宅内ネットワークやインターネットなどの通信網であり、他の機器やサーバなどとのデータ送受信に使用する。
【００２５】
次に、本実施例１を図１から図７を用いて説明する。
【００２６】
図２は、情報処理装置１の予定表作成手段１０６が視聴予定表を作成する処理を示した処理フローである。
【００２７】
ステップ２００では、作成する視聴予定表の開始時間を決定するために情報処理装置１が持つ時刻情報から現在時刻を取得する。本実施例の説明ではステップ２００で１９：００の時間を取得し、２４：００までの視聴予定表を作成する場合について説明する。
【００２８】
ステップ２０１は、記録部１０８に保存されている電子番組表データ１０８Ａを読み出す処理である。電子番組表データ１０８Ａは、制御部１０２が放送波によって送信されるデータをチューナ部１００を経由して取得するか、または通信部１１０を用いてネットワーク１１１を経由して取得し、記録部１０８へ電子番組表データ１０８Ａとして保存している。電子番組表データ１０８Ａの一例を図３を用いて説明する。図３に電子番組表データ１０８Ａとして、１９：００〜２４：００までに放送予定の番組データが、放送局Ａ３００、放送局Ｂ３０１、放送局Ｃ３０２、放送局Ｄ３０３の４放送局分保持されている。たとえば、放送局Ａ３００が１９：００から放送する番組に関する情報は、番組名が「番組Ａ１」で、番組の持つジャンルは「Ａ」であり、放送時間は１９：００〜２０：００の１時間番組であることを示している。
【００２９】
ステップ２０２は、記録部１０８に保存されている録画済みコンテンツ情報１０８Ｂを読み出す処理である。録画済みコンテンツ情報１０８Ｂは録画制御手段１０３によって録画された放送番組に関する情報であり、図４を用いてコンテンツに関する情報を説明する。
【００３０】
図４には録画済みコンテンツとしてコンテンツＡＡ４００とコンテンツＢＢ４０５の２つのコンテンツがある。コンテンツＡＡ４００は録画した動画データをすべて再生する場合の情報であり、動画データごとに音声パワー及び動画の動きからフレームの特徴を抽出した特徴データを生成し、特徴データを元にシーンごとに分割した再生区間の中から再生する再生区間を選ぶことで再生時間を短縮した再生情報を持つ録画済みコンテンツ情報として，コンテンツＡＡ（Ｄ１）４０１、コンテンツＡＡ（Ｄ２）４０２、コンテンツＡＡ（Ｄ３）４０３、コンテンツＡＡ（Ｄ４）４０４を用意している。コンテンツＢＢ４０５に関しても同様に再生時間の異なるコンテンツＢＢ（Ｄ１）４０６、コンテンツＢＢ（Ｄ２）４０７、コンテンツＢＢ（Ｄ３）４０８、コンテンツＢＢ（Ｄ４）４０９を用意している。再生時間の短縮は再生を中断することで短くするのではなく、特徴データを利用して再生区間を間引いたり、早送り再生などをすることで録画済みコンテンツとしては完結する形で行われる。本来、音声や映像の特徴データを用いて再生時間を決める場合、録画時間内であれば自由に再生時間を決めることが可能であるが、ここでは説明を簡単にするために同一コンテンツに対して複数の異なる再生時間を持つものをコンテンツ情報として用意している。
【００３１】
ステップ２０３は、予定表部１０７に保存されている作成基準情報１０７Ａを読み出す処理である。作成基準情報１０７Ａは視聴予定表を作成する場合の基準情報であり、図５を用いて説明する。図５は作成基準情報の一例で、作成基準情報５００はベース５０１、初期値５０２、優先５０３、ジャンル５０４の項目によって構成されている。ベース５０１は視聴予定表の作成を新規に行うか、既に作成済みの視聴予定表を元に行うかを指示する項目であり、「新規」は元となる視聴予定表が無い状態から視聴予定表を作成することを示している。初期値５０２は、現在時刻で最初に選択すべき放送番組や録画済みコンテンツが指示されているか否かを示す情報であり、「無」は指定される放送番組や録画済みコンテンツが無いことを示している。優先５０３は、例えば放送番組と録画済みコンテンツのどちらの情報を優先的に視聴予定表に組み入れていくのかを指示する情報であり、「放送番組」と指示されている場合は電子番組表データなどから見つけた放送番組を優先的に視聴予定表に組み入れることを指示している。ジャンル５０４は放送番組や録画済みコンテンツなどにジャンル情報が付加されている場合には、該当するジャンル情報を持つ放送番組や録画済みコンテンツを視聴予定表に組み入れることを指示しており、「Ａ」はジャンルとしてＡに区分されているものを選ぶことを示している。
【００３２】
ステップ２０４は、作成基準情報１０７Ａの情報に従い電子番組表データ１０８Ａの放送番組と録画済みコンテンツ情報１０８Ｂの録画済みコンテンツから視聴予定表を作成し、予定表情報１０７Ｂへ保存する処理を行う。たとえば、現在時刻が１９：００だとすれば、作成基準情報１０７Ａの情報に従いジャンル情報が「Ａ」の１９：００放送開始の放送番組が電子番組表データ１０８Ａから見つけ出せればよく、図３に示した放送局Ａ３００の番組Ａ１が条件に一致している。従って、ステップ２０４では番組Ａ１を視聴予定表の１９：００からの視聴予定番組として予定表情報１０７Ｂへ保存し、番組Ａ１の放送終了となる２０：００を次の予定表選択時間として設定し、ステップ２０５へ処理を移行する。
【００３３】
ステップ２０５では、設定された次の予定表選択時間が２０：００で２４：００に達していないため、処理を再びステップ２０４へ移行する。
【００３４】
ステップ２０４では、設定された次の予定表選択時間に従い２０：００以降のジャンル情報が「Ａ」の放送番組を電子番組表データ１０８Ａから探す。条件に一致する最初の放送番組は、放送局Ｄ３０３の番組Ｄ３である。番組Ｄ３の放送開始時刻は２１：４０であるため、２０：００から２１：４０の１時間４０分の間に組み入れる情報を録画済みコンテンツから探す。録画済みコンテンツ情報１０８Ｂに保存されている図４のコンテンツ情報よりコンテンツＡＡ（Ｄ１）４０１の再生時間が１時間４０分であり、視聴予定表へ組み入れる情報として条件を満たす。従って、ステップ２０４ではコンテンツＡＡ（Ｄ１）４０１を視聴予定表の２０：００からの視聴再生コンテンツとして予定表情報１０７Ｂへ保存し、再生終了となる２１：４０を次の予定表選択時間として設定し、ステップ２０５へ処理を移行する。
【００３５】
ステップ２０５では、設定された次の予定表選択時間が２１：４０で２４：００に達していないため、処理を再びステップ２０４へ移行する。
【００３６】
ステップ２０４は先のステップ２０４で探した番組Ｄ３を予定表情報１０７Ｂへ保存することになり、ステップ２０５処理後の再度のステップ２０４では電子番組表データ１０８Ａから適する放送番組を見つけられず、番組Ｄ３の番組終了時刻である２２：２０から２４：００の間に再生を行えるコンテンツＢＢ（Ｄ１）４０６を録画済みコンテンツ情報１０８Ｂより選択して予定表情報１０７Ｂへ保存することになる。次にコンテンツＢＢ（Ｄ１）４０６の再生終了時刻となる２４：００を次の予定表選択時刻に設定してステップ２０５へ処理を移行する。
【００３７】
ステップ２０５では、本実施例で作成する２４：００までの視聴予定表を作成したと判断して処理を終了させる。
【００３８】
以上の図２に示した処理フローを実行することによって作成した予定表情報１０７Ｂを、図６にユーザ局６００の視聴予定表として示す。ユーザ局６００の視聴予定表は番組Ａ１、コンテンツＡＡ（Ｄ１）、番組Ｄ３、コンテンツＢＢ（Ｄ１）によって構成されている。
【００３９】
たとえば、図３の放送局Ａ３００のチャンネルを１９：００から選局し、視聴を継続すれば、時間経過に伴い放送局Ａ３００の電子番組表データに示されたように、番組Ａ１、番組Ａ２、番組Ａ３、番組Ａ４、番組Ａ５といったように放送番組が切り換りながら視聴をすることができる。これと同じようにユーザ局６００を選局すると時間の経過に伴い視聴予定表に沿って放送番組の選局と録画済みコンテンツの再生が切り換りながら視聴できることを図７に示す処理フローを用いて説明する。
【００４０】
図７は、制御部１０２が制御する処理フローである。
【００４１】
ステップ７００では、予定表情報１０７Ｂからユーザ局６００の視聴予定表を読み出し、例えば現在時刻が１９：０１であれば、視聴予定表から１９：００から放送を開始している番組Ａ１を選択して、ステップ７０１へ処理を移行する。
【００４２】
ステップ７０１では、ステップ７００で選択した番組Ａ１が放送番組なのか、録画済みコンテンツなのか判断し、放送番組であるためステップ７０２へ処理を移行する。
【００４３】
ステップ７０２は放送番組の選局処理を行う部分であり、ここでは番組Ａ１の選局処理を行う。具体的には制御部１０２の制御によって、選局制御手段１０５がチューナ部１００より番組Ａ１の音声、映像データを取得しデコードした後、表示制御部１０１を介して表示装置２へ番組Ａ１の放送内容を表示させる。放送番組が終了したり、ユーザによるリモコン操作などで新たな選局処理が必要になる場合には処理を次のステップへ移行する。本実施例の説明では番組Ａ１の放送終了に従い処理をステップ７０３へ移行する。
【００４４】
ステップ７０３では、リモコンなどの操作情報が無ければ番組Ａ１の放送終了によって処理が移行してきたと判断し、処理をステップ７００へ移行する。また、リモコンなどの操作情報が有り、例えば放送局の切り替えを要求する情報であればユーザ局６００から切り替わることになるので、図７の処理フローを終了する。
【００４５】
ステップ７００では、予定表情報１０７Ｂからユーザ局６００の視聴予定表を読み出し、現在時刻は番組Ａ１の放送終了時間である２０：００であるから、視聴予定表の２０：００からの予定に割り当てられているコンテンツＡＡ（Ｄ１）を選択して、ステップ７０１へ処理を移行する。
【００４６】
ステップ７０１では、ステップ７００で選択したコンテンツＡＡ（Ｄ１）が放送番組なのか、録画済みコンテンツなのか判断し、録画済みコンテンツであるためステップ７０４へ処理を移行する。ステップ７０４では、コンテンツＡＡ（Ｄ１）は録画済みコンテンツと判断してステップ７０５へ処理を移行する。録画済みコンテンツでは無いと判断した場合には処理が継続できないため、図７の処理フローを終了する。
【００４７】
ステップ７０５はコンテンツの再生処理を行う部分であり、ここでは、コンテンツＡＡ（Ｄ１）の再生処理を行う。具体的には制御部１０２の制御によって、再生制御手段１０４は録画済みコンテンツ情報１０８ＢからコンテンツＡＡ（Ｄ１）４０１の情報を取得して再生処理を行い、再生処理の結果は表示制御部１０１を介して表示装置２で表示される。コンテンツＡＡ（Ｄ１）４０１はコンテンツＡＡ４００に対して、２０分再生時間を短縮させる再生情報を保持しており、再生制御手段１０４はコンテンツＡＡ（Ｄ１）４０１の再生情報に従い、再生すべき区間を選びながら１時間４０分で再生を終了する処理を行う。コンテンツ終端に達して再生が終了したり、ユーザによるリモコン操作などで再生が停止したりして再生制御を変更する場合には処理を次のステップへ移行する。本実施例の説明ではコンテンツＡＡ（Ｄ１）４０１の再生終了に従い処理をステップ７０６へ移行する。
【００４８】
ステップ７０６では、リモコンなどの操作情報が無ければコンテンツＡＡ（Ｄ１）４０１の再生終了によって処理が移行してきたと判断し、処理をステップ７００へ移行する。また、リモコンなどの操作情報が有り、例えば放送局の切り替えを要求する情報やコンテンツの再生を停止するような情報の場合には、図７の処理フローを終了する。
【００４９】
後のステップ７００以降の処理は、ユーザ局６００の視聴予定表の番組Ｄ３とコンテンツＢＢ（Ｄ１）に対して、先に説明したステップ処理の放送番組の場合と録画済みコンテンツの場合を再び当てはめて処理を行えばよいため説明を省略する。
【００５０】
以上説明した実施例１によれば、複数の放送局で放送される放送番組と複数の録画済みコンテンツを使用して、独自のユーザ局の視聴予定表を作成することが可能であり、ユーザ局を選局した場合には作成したユーザ局の視聴予定表に沿った視聴が可能となる。また、視聴予定表内に組み込まれた録画済みコンテンツの再生は、組み込まれた時間区間内で完結するように再生制御を行うため、コンテンツ再生を中断して次の放送番組の選局を行うような制御にならず、ユーザ局を１つの放送局と同じような形態で視聴することが可能となる。
【実施例２】
【００５１】
実施例１では、放送番組と録画済みコンテンツを用いて作成した視聴予定表を用いて、独自のユーザ局を選局しているかのように視聴できる場合について説明した。これに対し実施例２では、視聴予定表に従って視聴を開始した後、視聴中の放送番組を変更した場合と、録画済みコンテンツの再生時間を変更した場合においても、視聴予定表を作成し直すことでユーザ局の視聴形態を継続できることを説明する。
【００５２】
図８は情報処理装置１を操作するリモコンのボタンの一部を示したものである。チャンネルボタン８００、チャンネルボタン８０１はチャンネル選局の上下ボタンであり、このボタンの操作によって放送局を放送局Ｃから放送局Ｄ、放送局Ｄからユーザ局といったように選局を切り換えることができる。ユーザ局を選局中においては、操作ボタン８０４、操作ボタン８０５のボタン押下によって他放送局の放送番組にユーザ局選局のまま切り換えられるものとする。
【００５３】
本実施例２では、ユーザ局６００の視聴予定表に従って番組Ａ１の放送番組の視聴を行っている時に、操作ボタン８０４のボタン２回押下操作によって、選局している放送番組を番組Ｃ１に切り替えた場合についての処理と視聴予定表の作成し直しについて説明する。
【００５４】
図９の処理フローに沿って選局処理を行う制御について、実施例１と同じ現在時刻が１９：０１である場合で説明する。ステップ７００、ステップ７０１、ステップ７０２の処理については、実施例１の図７の処理フローの説明で行ったものと同じであるため、説明を省略する。
【００５５】
ステップ７０２では、番組Ａ１の選局処理を行った後、番組Ａ１の放送終了のチェックと、リモコンによるユーザ操作が行われるかチェックを続ける待機状態になる。ここで、ユーザにより図８の操作ボタン８０４が２回押下された場合について説明を続ける。操作ボタン８０４の押下はユーザ局のまま放送局を切り換えるチャンネルアップに相当するため、ステップ７０２は処理をステップ９００へ移行する。
【００５６】
ステップ９００では、リモコンの操作情報があるか確認する。操作情報が無ければステップ７０２からは選局していた番組の放送終了により処理が移行してきたことになるため、処理をステップ７００へ移行することになる。ここでは、操作ボタン８０４の押下情報があるため、処理をステップ９０１へ移行する。
【００５７】
ステップ９０１では、例えばチャンネルボタン８００やチャンネルボタン８０１のボタン押下情報であれば、ユーザ局から他の放送局へ選局することになるので、図９の処理フローを終了することになる。ここでは操作ボタン８０４の押下情報であるため、チャンネルアップを行うための処理を行う。操作ボタン８０４の押下情報は２回であるため、選局中の番組Ａ１が放送されている放送局Ａから放送局Ｂを超えて放送局Ｃを選択したと判断し、放送局Ｃの番組Ｃ１を初期値１００２に設定した図１０の作成基準情報１０００を作成して、処理をステップ９０２へ移行する。
【００５８】
ステップ９０２では、作成基準情報１０００の情報を元に視聴予定表を作成し直す処理を行う。視聴予定表を作成するのは実施例１で説明した図２の処理フローであり、ステップ２０３が読み出す作成基準情報１０７Ａが図１０の作成基準情報１０００の内容になっている。ベース１００１の「予定表」とは、既に作成済みの視聴予定表を用いて、変更を有する部分のみ作成し直すことを指示している。初期値１００２の「番組Ｃ１」は視聴予定表の最初の放送番組を「番組Ｃ１」にすることを指示している。優先１００３の「放送番組」とジャンル１００４の「Ａ」は、電子番組表データ１０８Ａの中からジャンル情報が「Ａ」の放送番組を優先的に利用して視聴予定表を作成することを指示している。
【００５９】
作成基準情報１０００を元に図２の処理フローを用いて視聴予定表を作成し直す場合について説明を続ける。ステップ２０４では初期値１００２の指示により番組Ｃ１を選ぶことになり視聴予定表１０７Ｂへ番組Ｃ１を保存し、次の予定表選択時間に番組Ｃ１が終了する１９：４０を設定し、ステップ２０５へ処理を移行する。
【００６０】
ステップ２０５では、設定された次の予定表選択時間が２４：００に達していないため、処理を再びステップ２０４へ移行する。
【００６１】
ステップ２０４では、優先１００３とジャンル１００４の指示に従い電子番組表１０８Ａからジャンルが「Ａ」で放送開始時間が１９：４０以降の放送番組を探すと、１９：４０から放送開始の放送局Ｂ３０１の番組Ｂ２を見つけたため、予定表情報１０７Ｂへ保存し、番組Ｂ２の放送終了となる２０：４０を次の予定表選択時間として設定し、ステップ２０５へ処理を移行する。
【００６２】
ステップ２０５では、設定された次の予定表選択時間が２０：４０で２４：００に達していないため、処理を再びステップ２０４へ処理を移行する。
【００６３】
ステップ２０４では、優先１００３とジャンル１００４の指示に従い電子番組表１０８Ａからジャンルが「Ａ」で放送開始時間が２０：４０以降の放送番組を探すと、ユーザ局６００の視聴予定表で選択済みの２１：４０から放送が開始する放送局Ｄ３０３の番組Ｄ３が見つかる。次の予定表選択時間は２０：４０であるため、番組Ｄ３の放送が開始する２１：４０までの１時間の区間にベース１００１の指示に従い、作成済み視聴予定表の中から同一時間帯で選択していたものが流用可能か判断する。作成済み視聴予定表ではコンテンツＡＡ（Ｄ１）４０１が使用されていたが、再生時間が１時間４０分のため、今回必要な再生時間が１時間のコンテンツＡＡ（Ｄ３）４０３を選択し、予定表情報１０７Ｂへ保存し、再生終了となる２１：４０を次の予定表選択時間として設定し、ステップ２０５へ処理を移行する。
【００６４】
ステップ２０５では、設定された次の予定表選択時間が２１：４０で２４：００に達していないため、処理を再びステップ２０４へ移行する。
【００６５】
この後の視聴予定表作成処理は、ユーザ局６００の視聴予定表作成時と同じになるため説明を省略する。以上の視聴予定表作成の処理によってステップ９０２では図１１に示すユーザ局１１００の視聴予定表を作成し、処理をステップ７００へ移行する。
【００６６】
ステップ７００では、予定表情報１０７Ｂから新たに作成されたユーザ局１１００の視聴予定表を読み出し、ステップ７０１、ステップ７０２と処理を移行することで放送局Ｃの番組Ｃ１を選局することになる。
【００６７】
以上説明した処理によれば、ユーザ局を選局し視聴予定表に従って視聴を開始した場合において、リモコンボタンの操作などによって視聴中の放送番組を他の放送局の放送番組に変更する場合、変更した放送局の放送番組の放送終了時刻に合わせて、視聴予定表を再度作成し直すため、継続してユーザ局の視聴形態を維持したまま視聴を継続することが可能となる。
【００６８】
次に放送番組ではなく録画済みコンテンツの再生時間を変更した場合においても、視聴予定表を作成し直すことでユーザ局の視聴形態を継続できることを説明する。
【００６９】
図８の情報処理装置１を操作するリモコンボタンの中で、操作ボタン８０２、操作ボタン８０３のボタン押下によって、再生中の録画済みコンテンツの再生時間が変更できる。
【００７０】
ユーザ局１１００の視聴予定表に従ってコンテンツＡＡ（Ｄ３）を再生している最中に、操作ボタン８０３のボタン押下操作によって、図４で示しているコンテンツＡＡ（Ｄ２）４０２の再生へ変更する場合について説明する。
【００７１】
ステップ７００、ステップ７０１、ステップ７０４とステップ７０５の処理はついては実施例１の図７の処理フローで説明したものと同じであるため、説明を省略する。
【００７２】
ステップ７０５では、コンテンツＡＡ（Ｄ３）の再生処理を行った後、コンテンツＡＡ（Ｄ３）の再生終了のチェックと、リモコンによるユーザ操作が行われるかチェックし続ける待機状態になる。ここで、ユーザにより図８の操作ボタン８０３を押下された場合について説明を続ける。操作ボタン８０３の押下は再生時間が異なる再生中コンテンツへの切り替えに相当するため、ステップ７０５は処理をステップ９０３へ移行する。
【００７３】
ステップ９０３では、リモコンの操作情報があるか確認する。操作情報が無ければステップ７０５からはコンテンツの再生を完了して処理を移行してきたことになるため、処理をステップ７００へ移行することになる。ここでは、操作ボタン８０３の押下情報があるため、処理をステップ９０４へ移行する。
【００７４】
ステップ９０４では、例えばチャンネルボタン８００やチャンネルボタン８０１のボタン押下情報であれば、ユーザ局から他の放送局へ選局することになるので、図９の処理フローを終了することになる。操作ボタン８０２は再生中コンテンツの再生時間を短くするボタンであり、ここでは操作ボタン８０３の押下情報であるため、再生時間を増やすための処理を行う。操作ボタン８０３の押下情報により現在再生中のコンテンツＡＡ（Ｄ３）から再生時間が長いコンテンツＡＡ（Ｄ２）に再生を切り換えるため、コンテンツＡＡ（Ｄ２）を初期値１２０２に設定した図１２の作成基準情報１２００を作成して、処理をステップ９０２へ移行する。
【００７５】
ステップ９０２では、作成基準情報１２００の情報を元に視聴予定表を作成し直す処理を行う。視聴予定表を作成するのは実施例１で説明した図２の処理フローであり、ステップ２０３が読み出す作成基準情報１０７Ａが図１２の作成基準情報１２００の内容になっている。ベース１２０１の「予定表」とは、既に作成済みの視聴予定表を用いて、変更を有する部分のみ作成し直すことを指示している。初期値１２０２の「コンテンツＡＡ（Ｄ２）は視聴予定表の最初の再生コンテンツを「コンテンツＡＡ（Ｄ２）にすることを指示している。優先１２０３の「放送番組」とジャンル１２０４の「Ａ」は電子番組表データ１０８Ａ中からジャンル情報が「Ａ」の放送番組を優先的に利用して視聴予定表を作成することを指示している。
【００７６】
作成基準情報１２００を元に図２の処理フローを用いて視聴予定表を作成し直す場合について説明を続ける。ステップ２０４では初期値１２０２の指示によりコンテンツＡＡ（Ｄ２）を選ぶことになり視聴予定表１０７ＢへコンテンツＡＡ（Ｄ２）を保存し、次の予定表選択時間にコンテンツＡＡ（Ｄ２）の再生が終了する２２：００を設定し、ステップ２０５へ処理を移行する。
【００７７】
ステップ２０５では、設定された次の予定表選択時間が２４：００に達していないため、処理を再びステップ２０４へ移行する。
【００７８】
ステップ２０４では、優先１２０３とジャンル１２０４の指示に従い電子番組表１０８Ａからジャンルが「Ａ」で放送開始時間が２２：００以降の放送番組を探すと、２２：００から放送開始の放送局Ｃ３０２の番組Ｃ４を見つけるため、予定表情報１０７Ｂへ保存し、番組Ｃ４の放送終了となる２３：００を次の予定表選択時間として設定し、ステップ２０５へ処理を移行する。
【００７９】
ステップ２０５では、設定された次の予定表選択時間が２３：００で２４：００に達していないため、処理を再びステップ２０４へ処理を移行する。
【００８０】
ステップ２０４では、優先１００３とジャンル１００４の指示に従い電子番組表１０８Ａからジャンルが「Ａ」で放送開始時間が２３：００以降の放送番組を探しても見つからないため、ベース１２０１の指示に従い、作成済み視聴予定表の中から同一時間帯で選択していたものが流用可能か判断する。作成済み視聴予定表ではコンテンツＢＢ（Ｄ１）４０６を選択していたが再生時間が１時間４０分であるため、今回必要な２３：００から２４：００までの再生時間と同じ１時間の再生時間を持つコンテンツＢＢ（Ｄ３）４０８を選択し、予定表情報１０７Ｂへ保存し、再生終了となる２４：００を次の予定表選択時間として設定し、ステップ２０５へ処理を移行する。
【００８１】
ステップ２０５では、次の予定表選択時間が２４：００に達しているため処理を終了する。
【００８２】
以上の視聴予定表作成の処理によって、ステップ９０２では図１３に示すユーザ局１３００の視聴予定表を作成し、処理をステップ７００へ移行する。
【００８３】
ステップ７００では、予定表情報１０７Ｂから新たに作成されたユーザ局１３００の視聴予定表を読み出し、ステップ７０１、ステップ７０４、ステップ７０５と処理を移行することでコンテンツＡＡ（Ｄ２）の再生を行うことになる。ここでコンテンツＡＡ（Ｄ２）の再生を開始する場合に、ユーザ局１３００の視聴予定表でコンテンツＡＡ（Ｄ２）が割り当てられた再生開始時刻から実際にコンテンツＡＡ（Ｄ２）の再生を開始する時刻に遅延時間があれば、コンテンツＡＡ（Ｄ２）の再生開始位置は遅延時間分経過した位置より再生を開始する。
【００８４】
以上説明した処理によれば、ユーザ局を選局し視聴予定表に従って視聴を開始した場合において、リモコンボタンの操作などによって再生中のコンテンツの再生時間を変更する場合、再生を開始するコンテンツの再生終了時刻に合わせて、視聴予定表を再度作成し直すため、継続してユーザ局の視聴形態を維持したまま視聴を継続することが可能となる。
【００８５】
以上の各実施例では、電子番組表データをチューナ経由で取得しているが、ネットワークを介して取得してもよい。録画済みコンテンツに対して再生時間を変更したコンテンツを用意しているが、視聴予定表の中で割り当てる再生時間に合わせて再生情報を生成しても問題ない。録画済みコンテンツとしてチューナから取得したデータ以外にネットワークなどを介して取得した動画データを用いても何ら問題はない。
【符号の説明】
【００８６】
１・・・情報処理装置
２・・・表示装置
１００・・・チューナ部
１０１・・・表示制御部
１０２・・・制御部
１０３・・・録画制御手段
１０４・・・再生制御手段
１０５・・・選局制御手段
１０６・・・予定表作成手段
１０７・・・予定表部
１０８・・・記録部
１０９・・・入力部
１１０・・・通信部
１１１・・・ネットワーク
【図１】
2012119942.tif 000003
【図２】
2012119942.tif 000004
【図３】
2012119942.tif 000005
【図４】
2012119942.tif 000006
【図５】
2012119942.tif 000007
【図６】
2012119942.tif 000008
【図７】
2012119942.tif 000009
【図８】
2012119942.tif 000010
【図９】
2012119942.tif 000011
【図１０】
2012119942.tif 000012
【図１１】
2012119942.tif 000013
【図１２】
2012119942.tif 000014
【図１３】
2012119942.tif 000015